【事件の表示】
　特許第３２９５２０８号「電子スチルカメラ」の請求項１に係る特許に対する特許異議の申立てについて、次のとおり決定する。
【結　論】
　訂正を認める。
　特許第３２９５２０８号の請求項１に係る特許を維持する。
【理　由】
１．手続の経緯
　本件特許は、平成５年１２月２９日に出願され、平成１４年４月５日に設定登録がなされたが、その後、渡部広美及び島田洋によりそれぞれ異議申立てがなされ、当審で取消しの理由が通知され、その指定期間内である平成１５年６月２４日に意見書及び訂正請求書が提出されたものである。
　
２．訂正の適否
２−１．訂正の内容
・訂正事項ａ
　特許請求の範囲の請求項１を「被写体を撮像して画像データを出力する撮影手段と、画像データを符号化する画像データ符号化手段と、符号化された画像データを記録媒体に記録する手段を備えた電子スチルカメラにおいて、記録媒体に記録する画像データの画素アスペクト比を変更する手段を備え
、前記画像データのファイルフォーマットに合ったへツダ情報を前記画像データと組み合わせてファイルを作成する
・訂正事項ｂ
　明細書の段落［０００９］の記載を「【課題を解決するための手段】前記目的を達成するため、本発明は、被写体を撮像して画像データを出力する撮影手段と、画像データを符号化する画像データ符号化手段と、符号化された画像データを記録媒体に記録する手段を備えた電子スチルカメラにおいて、記録媒体に記録する画像データの画素アスペクト比を変更する手段を備え、前記画像データのファイルフォーマットに合ったへツダ情報を前記画像データと組み合わせてファイルを作成することを特徴とする。」と訂正する。
・訂正事項ｃ
　明細書の段落［００１０］の記載を「【作用】前記構成の電子スチルカメラによれば、記録媒体に記録する画像データの画素アスペクト比を変更する手段を備え、前記画像データのファイルフォーマットに合ったへツダ情報を前記画像データと組み合わせてファイルを作成するので、情報機器において各種アプリケーションプログラムにて使用する場合、これらの画素アスペクト比に合わせて電子スチルカメラで記録しておけばアスペクト変換をする必要がなくなる。」と訂正する。
・訂正事項ｄ
　明細書の段落［００２９］の記載を「【発明の効果】以上説明したように、本発明の電子スチルカメラは、請求項１記載の発明によれば、記録媒体に記録する画像データの画素アスペクト比を変更する手段を備え、前記画像データのファイルフォーマットに合ったへツダ情報を前記画像データと組み合わせてファイルを作成するので、情報機器において各種アプリケーションプログラムにて使用する場合、これらの画素アスペクト比に合わせて電子スチルカメラで記録しておけばアスペクト変換をする必要がなくなり、より親和性が高まる。」と訂正する。
　
２−２．訂正の目的の適否・新規事項の有無、及び特許請求の範囲の拡張・変更の存否
　上記訂正事項ａは、請求項１については構成要件を加えたものであるが、願書に添付された明細書の段落［００２２］及び［００２８］に記載されているから、特許請求の範囲の減縮を目的とした訂正に該当する。また、上記訂正事項ｂないしｄは、上記訂正事項ａとの整合をとるためになされたものであるから、明りょうでない記載の釈明を目的とした訂正に該当する。よって、上記訂正事項ａないしｄは、いずれも新規事項の追加に該当せず、実質上特許請求の範囲を拡張し、又は変更するものではない。
　
２−３．むすび
　上記訂正は、特許法第１２０条の４第２項及び同条第３項で準用する第１２６条第２項及び第３項の規定に適合するので、当該訂正を認める。
　
３．特許異議の申立てについての判断
３−１．申立ての理由の概要
　特許異議申立人渡部広美（以下、「異議申立人Ａ」という。）は、請求項１に係る発明は甲第１号証に記載された発明と実質的に同一であるから特許法第２９条の２の規定により特許を受けることができないものであり、また、請求項１に係る発明は甲第２号証に記載された発明に基づいて容易に発明することができたものであるから特許法第２９条第２項の規定により特許を受けることができず、特許を取り消すべきものと主張している。
　また、特許異議申立人島田洋（以下、「異議申立人Ｂ」という。）は、請求項１に係る発明は甲第１号証ないし甲第２号証に記載された発明に基づいて容易に発明することができたものであるから特許法第２９条第２項の規定により特許を受けることができず、特許を取り消すべきものと主張している。
　
３−２．請求項１に係る発明
　本件特許の請求項１に係る発明（以下、「本件特許発明」という。）は、上記「２−１．訂正の内容」中の訂正事項ａに記載された請求項１に記載された事項により特定されるものであって、以下のとおりである。
　「被写体を撮像して画像データを出力する撮影手段と、画像データを符号化する画像データ符号化手段と、符号化された画像データを記録媒体に記録する手段を備えた電子スチルカメラにおいて、記録媒体に記録する画像データの画素アスペクト比を変更する手段を備え
、前記画像データのファイルフォーマットに合ったへツダ情報を前記画像データと組み合わせてファイルを作成する
　
３−３．刊行物記載の発明
　異議申立人Ａが提出した先願の特願平５−５３２４６号（特開平６−２４５１３７号公報参照）の願書に最初に添付した明細書及び図面（甲第１号証、以下「先願発明」という。）、特開平２−２５０４８３号公報（甲第２号証、以下「刊行物１」という。）、また、異議申立人Ｂが提出した刊行物の特開平５−３２８２９７号公報（甲第１号証、以下「刊行物２」という。）、特開平５−２５２４２９号公報（甲第２号証、以下「刊行物３」という。）には、それぞれ以下のことが記載されている。
　
　先願発明について
　「本発明の、正方化処理を行った後で記録する画像記録再生装置のブロック図を図４に示す。図４(ａ)は記録系を示し、同図(ｂ)は再生系を示す。図４において、４１は撮像素子であるＣＣＤ、４２はＣＣＤ４１から得られた画像信号をデジタル信号に変換するＡ?Ｄ変換器、４３はＣＣＤ４１のγ補正やホワイトバランスを調整するデジタルのカメラ処理回路、４４はＣＣＤ４１の画素から順次得られた画像信号を処理して画素を正方化する正方化回路、４５は正方化回路で正方化された画素からのデジタル画像信号を記録する記録メディアである。」（段落［００２３］）
　
　刊行物１について
　「(２)は画像を取り込む撮像手段としてのカメラ、(３)はカメラ(２)で取り込んだアナログ信号をデジタルの画像情報に変換するＡ／Ｄ変換器で、Ａ／Ｄ変換された画像情報は、ＣＰＵ(１)に制御されたゲート回路(４)を介して記憶手段として画像メモリ(５)に記憶される。・・・（中略）・・・(１１)は一つ一つの画素の縦横のアスペクト比を変換するアスペクト比変換手段としてのアスペクト比変換回路で、モードＢの画像情報を送信あるいは受信するときに変換処理を行う。」（第２頁左下欄７行〜第３頁左上欄１５行）
　
　刊行物２について
　「ブロック変換・逆変換部２において、システムの水平取扱い画素数ｎがＩＣカード７に書かれている画像の水平画素数ｍに比べて小さい場合には、画像圧縮伸長部３へのデータ要求を１水平期間の間で２ｍ回(輝度信号Ｙと色差点順次信号Ｃとがあるため)とし、２(ｍ−ｎ)個のデータは、カメラプロセス部１及びデジタルエンコーダ部８へは送らないようにする。システムの１水平期間のブランキング期間も入れた取扱い画素数をｐとした時、ｐ＞ｍならばリアルタイムでデータが扱える。
　またシステムの水平取扱い画素数ｎがＩＣカード７に書かれている画像の水平画素数ｍに比べて大きい場合には、画像圧縮伸長部３へのデータ要求を１水平期間の間で２ｎ回とし、２(ｎ−ｍ)個のデータを、ブロック変換・逆変換部２で黒補間してカメラプロセス部１及びデジタルエンコーダ部８へ送る。
　さらにシステムの垂直取扱い画素数ｑがＩＣカード７に書かれている画像の垂直画素数ｒに比べて小さい場合には、データ要求信号を出してｑライン分の画像データを画像圧縮伸長部３に要求し、ｑラインの要求が終ったところでデータ要求終了信号を画像圧縮伸長部３へ送る。画像圧縮伸長部３では、データ要求終了信号を受けたところで、次の画像データの先頭へ移るか、今扱った画像データの先頭に戻るかの処理を行う。そしてブロック変換・逆変換部２では、ｑライン分のデータをカメラプロセス部１及びデジタルエンコーダ部８へ送る。
　またシステムの垂直取扱い画素数ｑがＩＣカード７に書かれている画像の垂直画素数ｒに比べて大きい場合には、上記と同様にしてｒライン分の画像データを画像圧縮伸長部３に要求し、(ｑ−ｒ)ラインの画像データは、ブロック変換・逆変換部２で黒補間として、カメラプロセス部１及びデジタルエンコーダ部８へ送る。」（段落［００１８］〜［００２１］）
　
　刊行物３について
　「スイッチＳP／Nは、撮影モードを選択するスイッチである。このビデオカメラは、撮影モードとして通常モードとパノラマモードとを有し、前記スイッチＳP／Nを押す毎に、通常モードとパノラマモードとがサイクリックに切り換えられるようになっている。
　なお、通常モードは、撮影された画像（以下、撮影画像という）をそのまま前記表示装置４２に表示したり、磁気テープに記録するモードである。また、パノラマモードは、撮影された画像を横長のアスペクト比（通常モードのアスペクト比の２倍）に変更して前記表示装置４２に表示したり、磁気テープに記録するモードである。
　なお、パノラマモードでは、撮影された画像のうち、画面の上側１／４及び下側１／４の領域をマスクし、中央の領域の画像のみを表示するモード（以下、ノーマル表示モードという）の他に、２種類の画像を同時に表示させる２画面表示モードを選択することができるようになっている。この表示モードの選択は、スイッチＳGにより行われる。」（段落［００１８］〜［００２０］）
　
３−４．対比・判断
　本件特許発明と先願発明とを対比すると、先願発明には、次に掲げる本件特許発明の主要な事項の記載も示唆もない。
　「画像データのファイルフォーマットに合ったヘッダ情報を前記画像データと組み合わせてファイルを作成する」点。
　したがって、本件特許発明は、異議申立人Ａが提出した先願発明に記載された発明と実質的に同一であるとすることができない。
　
　また、本件特許発明と刊行物１ないし３に記載された発明とを対比すると、刊行物１ないし３には、次に掲げる本件特許発明の主要な事項の記載も示唆もない。
　「画像データのファイルフォーマットに合ったヘッダ情報を前記画像データと組み合わせてファイルを作成する」点。
　そしてそれにより、「情報機器において各種アプリケーションプログラムにて使用する場合、これらの画素アスペクト比に合わせて電子スチルカメラで記録しておけばアスペクト変換をする必要がなくなり、より親和性が高まる」といった刊行物１ないし３にはない顕著な効果を有している。
　なお、引用例２及び３には、上記事項に加えて本件特許発明の主要な事項である「記録媒体に記録する画像データの画素アスペクト比を変更する手段」についても、記載も示唆もない。
　したがって、本件特許発明は、異議申立人Ａが提出した刊行物１に記載された発明及び異議申立人Ｂが提出した刊行物２ないし３に記載された発明に基づいて当業者が容易に発明できたものとすることもできない。
　
４．むすび
　以上のとおりであるから、本件特許発明は、特許異議申立の理由及び証拠によっては取り消すことはできない。
　また、他に特許を取り消すべき理由を発見しない。
　よって、結論のとおり決定する。
【異議決定日】
平成１５年７月９日（２００３．７．９）
【訂正の要旨】
審決（決定）の【理由】欄参照。
（５４）【発明の名称】
電子スチルカメラ
（５７）【特許請求の範囲】
　【請求項１】　被写体を撮像して画像データを出力する撮影手段と、画像データを符号化する画像データ符号化手段と、符号化された画像データを記録媒体に記録する手段を備えた電子スチルカメラにおいて、記録媒体に記録する画像データの画素アスペクト比を変更する手段を備え
、前記画像データのファイルフォーマットに合ったヘッダ情報を前記画像データと組み合わせてファイルを作成する
【発明の詳細な説明】
　【０００１】
　【産業上の利用分野】
　本発明は、電子スチルカメラに係り、特に、その画像・音声記録再生装置に関する。
　【０００２】
　【従来の技術】
　現在、電子スチルカメラは、主に情報機器への画像・音声データの入力装置として使用されている。例えば、特開平４−２１２５８２号公報には、電子カメラによる画像データをアダプタ等を一切用いずにパーソナルコンピュータに直接入力し、編集等の処理が行えるようにする技術が提案されている。
　【０００３】
　【発明が解決しようとする課題】
　しかし、現在の電子スチルカメラは、これらの情報機器との親和性が悪く、インタフェース（Ｉ／Ｆ）用のハードウェア，ソフトウェアが必要である。
　【０００４】
　具体的には以下のような問題がある。
　【０００５】
　（１）情報機器に使用されている画像フォーマットは、アプリケーション・プログラムにより異なっており、電子スチルカメラで記録した画像ファイルのフォーマットがアプリケーションに合わない場合、ファイルフォーマット変換プログラムを作成する必要がある。
　【０００６】
　（２）電子スチルカメラは、テレビジョン（ＮＴＳＣ等）画面上で再生して見ることを標準で設計されているので、画素のアスペクト比が“１”ではない。このように記録されたファイルをそのままパソコン等の情報機器で再生すると、潰れた画面になってしまい見づらい表示となる。
　【０００７】
　（３）記録媒体Ｉ／Ｆを介して情報機器へ直接画像データを転送する場合、画像データの同期位置も転送しないと、正常に情報機器側で表示できない。
　【０００８】
　本発明の目的は、前記従来の課題中、画素のアスペクト比に関する問題を解決し、情報機器へのマルチメディア情報（画像・音声）を入力するために最適なコストパフォーマンスに優れた電子スチルカメラを提供することにある。
　【０００９】
　【課題を解決するための手段】
　前記目的を達成するため、本発明は、被写体を撮像して画像データを出力する撮影手段と、画像データを符号化する画像データ符号化手段と、符号化された画像データを記録媒体に記録する手段を備えた電子スチルカメラにおいて、記録媒体に記録する画像データの画素アスペクト比を変更する手段を備え
、前記画像データのファイルフォーマットに合ったヘッダ情報を前記画像データと組み合わせてファイルを作成する
　【００１０】
　【作用】
　前記構成の電子スチルカメラによれば、記録媒体に記録する画像データの画素アスペクト比を変更する手段を備え
、前記画像データのファイルフォーマットに合ったヘッダ情報を前記画像データと組み合わせてファイルを作成する
　【００１１】
　【実施例】
　以下、本発明の実施例を図面に基づいて説明する。
　【００１２】
　図１は本発明の一実施例の構成を示すブロック図であり、１はマイク、２ａ，２ｂは増幅器、３は音声データの符号化／復号化を行う音声データ符号化手段および音声データ復号化手段である音声データ圧縮／伸張回路、４はＡ／Ｄ（アナログ／デジタル）変換回路、５はＤ／Ａ（デジタル／アナログ）変換回路である。
　【００１３】
　６は撮像レンズ７，絞り８，ＣＣＤ９，カメラコントロール部であるＣＤＳ１０等からなるカメラ撮像部、１１は各種画像処理がなされるデジタル信号処理回路、１２は画像データの符号化／復号化を行う画像データ符号化手段および画像データ復号化手段である画像データ圧縮／伸張回路、１３はＦＩＦＯ回路、１４はメモリカードのインタフェース（Ｉ／Ｆ）であるメモリカードＩ／Ｆである。
　【００１４】
　１６はカメラ撮像部６の機械系の駆動部（ドライバ）、１７はカメラ撮像部６の電気系のタイミング信号発生部（ＳＧ）、１８は照明手段であるストロボ、１９は各種モードを設定するための操作部、２０は設定されたモードを表示するモード表示部、２１は前記各部をコントロールするＣＰＵである。
　【００１５】
　２２ａと２２ｂは、メモリカードＩ／Ｆ１４に接続されて、各種記録媒体とのインタフェースをとるための記録媒体Ｉ／Ｆと、各種情報機器とのインタフェースをとるための情報機器Ｉ／Ｆである。
　【００１６】
　図１において、被写体像が撮像レンズ７によって撮像手段であるＣＣＤ９上に結像され、ＣＣＤ９で撮像された画像は、ＣＤＳ１０でゲインコントロールされて、Ａ／Ｄ変換回路４でデジタルデータにされるようになっている。デジタル画像データは、デジタル信号処理回路１１でガンマ補正，アパーチャ補正が施されて、画像信号符号化手段である画像データ圧縮／伸張回路１２へ送られ符号化されるようになっている。デジタル信号処理回路１１には、ＣＰＵ２１からの設定により画素アスペクト比を変更できる回路を内蔵している。
　【００１７】
　ＮＴＳＣ画像のアスペクト比を“１”にする方式は垂直方向画素補間で行うが、具体的方法を以下に示す。
　【００１８】
　アスペクト比変更前画素をａ（ｉ，ｋ）、変更後の画素をｂ（ｉ，ｋ）とすると、
　【００１９】
　【数１】
　　ｍ＝（ｉ／６）＋１
　１≦ｉ≦５７５，１≦ｋ≦７６８，ｍは整数とすると、
　【００２０】
　【数２】
　　ｂ（ｉ，ｋ）＝｛（５＋ｉ−６ｍ）／６｝×ａ（ｉ−ｍ，ｋ）＋｛（１−ｉ＋６ｍ）／６｝×ａ｛（ｉ−ｍ＋１），ｋ｝
　但し、ａ（０，ｋ）＝０とする。
　【００２１】
　符号化された画像データは、ＦＩＦＯ回路１３へ入り、順次、メモリカードＩ／Ｆ１４を通って記録媒体であるメモリカードに記録されるようになっている。なお、前記各部は、ＣＰＵ２１にてコントロールされるようになっている。
　【００２２】
　一方、音声は、マイク１にて捕らえられ、電気信号に変換される。この電気信号は、増幅器２ａで増幅されて、Ａ／Ｄ変換回路４でデジタルデータにされ、音声信号符号化手段である音声データ圧縮／伸張回路３へ送られ、符号化されるようになっている。符号化された音声データは、ＣＰＵ２１を介してメモリカードＩ／Ｆ１４を通ってメモリカードに記録される。メモリカードへの記録フォーマットは、ＣＰＵ２１からファイル作成時に設定するヘッダを変更することにより、幾つかの記録フォーマットファイルを作成できる。これらの詳細については図２を用いて後に説明する。
　【００２３】
　メモリカードに記録されたデータの再生時には、画像音声データは、メモリカードＩ／Ｆ１４を通って、ＦＩＦＯ回路１３あるいはＣＰＵ２１へ送られるようになっている。画像データは、画像データ圧縮／伸張回路１２でデータ伸張（復号）処理が施されて、デジタル信号処理回路１１を通ってビデオ信号として出力されるようになっている。
　【００２４】
　一方、音声データはＣＰＵ２１を介して音声データ圧縮／伸張回路３へ送られ、データ伸張（復号）されて、増幅器２ｂを通ってオーディオ信号として出力される。
　【００２５】
　また、情報機器との間で直接データを転送するために、記録媒体Ｉ／Ｆ２２ａは、共用使用される。非圧縮画像データを情報機器へ転送する場合、デジタル信号処理回路１１でガンマ補正，アパーチャ補正された画像データは、画像データ圧縮／伸張回路１２をそのまま出力され、ＦＩＦＯ回路１３へ書き込まれる。ＦＩＦＯ回路１３に書き込まれた画像データは、メモリカードＩ／Ｆ１４を介して情報機器Ｉ／Ｆ２２ｂへ出力される。また、非圧縮音声データを情報機器へ転送する場合、Ａ／Ｄ変換回路４でデジタル化された音声データは、音声データ圧縮／伸張回路３をそのまま出力され、ＦＩＦＯ回路１３へ書き込まれる。ＦＩＦＯ回路１３に書き込まれた音声データは、メモリカードＩ／Ｆ１４を介して情報機器Ｉ／Ｆ２２ｂへ出力される。
　【００２６】
　図３（ａ），（ｂ）に情報機器データ転送のタイミングチャートを示す。デジタル信号処理回路１１から出力された画像データは、画像有効期間にそのまま情報機器Ｉ／Ｆ２２ｂへ出力される。垂直ブランキング期間には、音声データ以外に垂直ブランキングを示す符号化された垂直同期符号，カメラのステータスを示す符号化されたステータス符号，情報機器側への制御コマンドを示す制御符号，フィールド番号またはフレーム番号を示す符号を挿入記録する。
　【００２７】
　また、水平ブランキング期間には、音声データ以外に水平ブランキングを示す符号化された水平同期符号，カメラのステータスを示す符号化されたステータス符号，情報機器側への制御コマンドを示す制御符号，水平走査線番号を示す符号を挿入記録する。
　【００２８】
　図２に本実施例のファイル作成のフローを示す。ファイル作成において、まず、ＣＰＵ２１に操作部１９から作成フォーマット仕様を設定または選択する（Ｓ１）。ＣＰＵ２１は、画像データをメモリカードへ転送する際に選択されたファイルフォーマット（Ｓ２−１，Ｓ２−２，Ｓ２−３）に合ったヘッダ情報を画像データ本体に組み合わせて転送を行うことにより、ファイルを作成する（Ｓ３）。
　【００２９】
　【発明の効果】
　以上説明したように、本発明の電子スチルカメラは、請求項１記載の発明によれば、記録媒体に記録する画像データの画素アスペクト比を変更する手段を備え
、前記画像データのファイルフォーマットに合ったヘッダ情報を前記画像データと組み合わせてファイルを作成する
【図面の簡単な説明】
　【図１】
　本発明の一実施例である電子スチルカメラの構成を示すブロック図である。
　【図２】
　本実施例のファイル作成のフローチャートである。
　【図３】
　情報機器データ転送のタイミングチャートである。
　【符号の説明】
　１…マイク、　２ａ，２ｂ…増幅器、　３…音声データ圧縮／伸張回路、　６…カメラ撮像部、　７…撮像レンズ、　１２…画像データ圧縮／伸張回路、　１４，２２ａ，２２ｂ…インタフェース、　２１…ＣＰＵ（中央演算処理部）。